(57)【要約】【課題】手荷物を容易に安全にバランスよく運べるようにする。【解決手段】腰に巻いたベルトＦに、前方ベルトＪＫ及び後方ベルトＤＥを設け、後方ベルトＤＥは、身体の背中から肩をとおし前方へ垂らし、前方ベルトＪＫは荷物下をとおし、両ベルトＤとＪ及びＥとＫを連結させ、身体と荷物とを一緒に締付け、荷物を運ぶようにした。これにより手荷物を容易に安全にバランスよく運ぶことができるようにした。【選択図】  図２
2005013678.tif 000002
【特許請求の範囲】
【請求項１】
腰ベルトの前方及び後方に梱包用ベルトを連結させ、荷物を身体とともに締付ける道具
【発明の詳細な説明】
【０００１】
【発明の属する技術分野】
この発明は、荷物の梱包及び人手による運搬による荷締具に関するものであり、荷物の安全性かつ身体の安全性を考慮したものである。
【０００２】
【従来の技術】
従来の梱包用のベルト、紐、ロープ、荷締具、鎖などは、単数又は複数の荷物のみに梱包を施し、人手によって運搬する際には、それらをただ単に両手で支えたり、肩や背中に背負ったりしていた。
【０００３】
【発明が解決しようとする課題】
従来、単数又は複数の荷物で、人が両手を用いて運んだり、肩や背中に背負って運ぶ際には、腕の力は基より、足腰、胸腹にも負担をかけ、加えてそのバランスをとりながら運び、身体能力のみに頼るものであった。小さな子や女性、老人などにとって、例え軽量の荷物を運ぶとしてもその安全性は保障されるものではなかった。
【０００４】
【課題を解決するための手段】
上記問題を解決するために、腰に巻いたベルトＦに前方と後方にもベルトＤＥＪＫを連結させ、後方からのベルトＤＥは、背中から身体の肩を通り抜け前方に段積みした荷物の上側を通し、前方からのベルトＪＫは、その荷物の下側から通し、前方ベルトＤＥと後方ベルトＪＫをバックルＣＢなどで連結させ、身体と荷物とを一緒に締付け、荷物を運ぶようにした。これにより、単数又は複数の荷物は安定され、両手は荷物を支える程度にすればよく、荷物と身体が締付けられているのでバランスよく荷物を運ぶことができるようになる。よって例え重量のある荷物を運ぶとしてもその安全性は増加するようになる。
【０００５】
【発明の実施の形態】
図１は、この発明の典型的な荷締具の形態を示している。図２は、実際にこの発明の荷締具を使用した場合の典型的なその実施形態を示している。
【０００６】
腰ベルトＦは、身体の腰部分適度な位置に、前方バックルＡにて締付け装着する。荷物を運ばないときには、後方ベルトＤＥは身体の背中から両肩を通し、身体の前方胸及び腹部分に垂らし、前方ベルトＪＫと連結させ、連結部分のバックルＣＢで身体のみに軽く締付けておけば他作業においても邪魔にはならず、後方ベルトＤＥのバックルから飛び出し垂れた部分がゆらゆらした状態にはなるが、連結されたベルト部分に巻いておいたり、服、ズボン等にポケットがあればそこにしまい込んでおいてもよいし、きれいにたたむ、巻くなど又は脇を通して肩にぐるぐる巻きにしておいてもよい。ようするに使用者が他作業を行う上で不自由ないようにしておけばよい。
【０００７】
単数又は複数の荷物を実際に運ぶ際には、連結されたベルトＤとＪ及びＥとＫをバックルＣＢにて緩め、荷物及び身体を締付けるのに適度な余裕をもたせ、荷物の下部分に前方ベルトＪＫを通し、荷物の上部分から後方ベルトＤＥを垂らし、余裕をもたせ連結されたバックルＣＢにて荷物及び身体を締付け装着させればよい。結局、緩め連結された前方後方ベルトＤとＪ及びＥとＫは、輪っか状態ができているので、単数又は複数の荷物の横側から通し締付け装着させるような形態をすればよい。前方ベルトＪＫのみを荷物の下部分に敷き、肩からの後方ベルトＤＥを荷物の上部分から垂らして最後に両ベルトＤとＪ及びＥとＫをバックルＣＢで連結し締付けてもよいが、作業効率は前者の方がはるかに良いと考えられる。
【０００８】
荷物幅が厚くて手がバックルＣＢに届かないような場合が考えられるが、その際には補助者にて対応されるのが賢明である。また荷物を上積みにより高く積み上げたような場合には、後者の方法により作業するのがよい。
【０００９】
荷物装着時には、荷物は下方に下がるので、荷重は、下に通された前方ベルトＪＫにより支えられ、腰ベルト▲３▼▲４▼部分は前方に引っ張られる。また同様に荷重は、連結された後方ベルトＤＥに伝わり、腰ベルト▲１▼▲２▼部分が上方に引っ張られることになるが、結局、腰ベルトＦによって支えられることになる。
【００１０】
図２においては、ダンボールのような荷物３段を人が本発明の荷締具を装着した場合であるが、その荷物のために前方視界が塞がれている形態を敢えて表わした。というのは、引越し、倉庫作業、運送業などを営む者にとって作業効率を良くするためにこのような形態での作業は日常茶飯事であり、足元及び塞がれた以外の視界での運搬作業が多く行われている実態がうかがえるためである。これは荷物及び身体の安全面においては良いものとはいえない。然らば、尚更、事故などに備えるものが必要となる。本発明においては、それらの事故に対する備えという点においても、意図するところである。
【００１１】
また図２においては、作業者の手の位置を荷物側面においているが、必ずしもこのような形態での作業とは限らず、特に重量のある荷物を運ぶ際には、両手は荷物下部を支えながら運搬する通常形態が良いと考えられる。その際、本発明の荷締具は腕力疲労の補助的役割をなすものである。
【００１２】
本発明は、腰ベルトＦも梱包用ベルトＤＥＪＫも、いわゆるベルトを使用しているが、これはロープ、紐、鎖、テープ、ゴムなどを使用してもよい。また連結する部分ＡＢＣも同様にバックルを使用しているが、結びつけるような形態やゴムなどを用いて引っ掛ける形態、簡単な金具、ボタンなどを用いた形態など、要するに連結させることができればよい。また腰ベルトＦと梱包用ベルトＤＥＪＫとの連結方法においても、本発明では、縫い合せの形態を使用しているが、梱包用ベルトＤＥＪＫに輪をつくり腰ベルトＦに通すような形態や、金具やボタン等で引っ掛ける形態などでもよい。上述同様に連結させることができればよい。
【００１３】
また本発明の梱包用ベルトＤＥＪＫは、荷締めとして２本を使用しているが、１本の形態にし装着の作業効率を優先させたような形態や、逆に３本、４本とし荷締めを優先させたような形態でもよい。
【００１４】
【発明の効果】
両手は、荷物を支える程度にすればよく、これにより握力、腕力の低下を防止することができ、又とっさの事態に両手を使用することができるようになる。また少数の荷物しか運べなかったものが、上積により数多くの荷物を運ぶことも可能になる。また荷締めされているので、複数の荷物も単一の荷物のように扱うことになり、バランスをとることも容易になる。これにより緊急事態の荷物の破損を防ぎ、身体の安全性が増加することになる。
【図面の簡単な説明】
【図１】本発明の斜視図である。
【図２】本発明を人が実施しているときの斜視図である。
【符号の説明】Ａ  腰ベルトの連結バックル
Ｂ  梱包用ベルトの連結バックル
Ｃ  梱包用ベルトの連結バックル
Ｄ  後部の梱包用ベルト
Ｅ  後部の梱包用ベルト
Ｆ  腰ベルト
Ｊ  前部の梱包用ベルト
Ｋ  前部の梱包用ベルト
▲１▼  腰ベルトと後部の梱包用ベルトの連結部分
▲２▼  腰ベルトと後部の梱包用ベルトの連結部分
▲３▼  腰ベルトと前部の梱包用ベルトの連結部分
▲４▼  腰ベルトと前部の梱包用ベルトの連結部分
【図１】
2005013678.tif 000003
【図２】
2005013678.tif 000004